(57)【要約】  本発明の対象であるフラメンコ用自動パーカッション音楽装置は、少なくとも1つのパーカッション装置と、少なくとも1つのハンマーと、プログラマー及びコード化された動き分配器を含む動き分配機構を備える音楽装置動作自動化マシーンとから構成される。さらに該フラメンコ用自動パーカッション音楽装置は、プログラムの選択手段と、選択したプログラムの視覚化手段と、音楽装置ハンマー制御する手段とから構成される。該プログラマーは、分配器において、フラメンコのコンパスと、該コンパスの裏拍と、様々なフラメンコのカンテ及びエスコビージャの数種類の一般的パルマ伴奏と、様々なフラメンコののエスコビージャによって形成されるグループの少なくとも1つの要素の連続的パーカッション用の動きをコード化する。本発明は、経済活動の分野の中で芸術的創造および教育に適用される。
2018518717.tif 000002
【特許請求の範囲】
【請求項１】
少なくとも1つの分配プログラムを通じて伝達する動きをコード化するサイクルタイマーまたはプログラマーと、少なくとも1つのアクチュエーターを備える少なくとも1つの要素から構成されたコード化動き分配器とを備えることを特徴とする自動パーカッション音楽装置動き分配機構。
【請求項２】
フラメンコのコンパスと、該コンパスの裏拍と、様々なフラメンコスタイルのカンテ及びエスコビージャの様々なパルマ伴奏と、様々なフラメンコスタイルの様々なエスコビージャとによって形成されたグループの少なくとも1つの要素の連続的パーカッションのために、プログラマーが分配器において不連続的および周期的な動きセットの伝達をコード化することを特徴とする請求項１に記載の分配機構。
【請求項３】
サイクルタイマーが、機械的であることと、該サイクルタイマーを形成する機械要素上にある分配器のアクチュエーターの順序配置により構成されていることとを特徴とする請求項２に記載の分配機構。
【請求項４】
サイクルタイマーが電子的であることと、動き分配器の要素が電子機械的であることとを特徴とする請求項２に記載の分配機構。
【請求項５】
形成する機械的要素が、同径及び同じ高さの複数突起のベースサークル・フラットカムであり、従って該突起が音楽装置のアクチュエーターを形成していることを特徴とする請求項３に記載の分配機構。
【請求項６】
２つのカムLA1 及び LB1から構成され、LA1は同じ高さの12個の等距離突起を含み、LB2は前記カムの突起と同じ高さの4つの等距離突起を含んで前記カムと同位相となり、アクセントを含んだ4つのファンダンゴまたはセビジャーナスのコンパスのパーカッションを生成する動きグループを一緒に伝達することを特徴とする請求項５に記載の分配機構。
【請求項７】
２つのカムLA2 及び LB2から構成され、LA2は同じ高さの12個の等距離突起を含み、LB2は前記カムの突起と同じ高さの6つの等距離突起を含んで前記カムと同位相となり、アクセントを含んだ3つのタンゴのコンパスのパーカッションを生成する動きグループを一緒に伝達することを特徴とする請求項５に記載の分配機構。
【請求項８】
２つのカムLA3 及び LB3から構成され、LA3は同じ高さの12個の等距離突起を含み、LB3は前記カムの突起と同じ位置に配置された5つの突起を含んで動き3, 6, 8, 10, 12を伝達し、該動きは参照とするいずれの番号から数えてもよいものとし、該5つの突起は前記カムの突起と同じ高さで同位相であり、アクセントを含んだソレア、アレグリア、またはブレリアのコンパスのパーカッションを生成する動きグループを一緒に伝達することを特徴とする請求項５に記載の分配機構。
【請求項９】
２つのカムLA4及び LB4から構成され、LA4は同じ高さの12個の等距離突起を含み、LB4は前記カムの突起と同じ位置に配置された5つの突起を含んで動き2, 4, 6, 9,12を伝達し、該動きは参照とするいずれの番号から数えてもよいものとし、該5つの突起は前記カムの突起と同じ高さで同位相であり、アクセントを含んだセギリージャのコンパスのパーカッションを生成する動きグループを一緒に伝達するとを特徴とする請求項５に記載の分配機構。
【請求項１０】
14個の同じ高さの突起を含む２つのカムLA5及び LB5から構成され、LA5及び LB5はそれぞれ1, 2, 4, 5, 7, 8, 10及び 11と、1, 3, 4, 7, 9及び 10との同じ高さの12個の等距離突起から成るカムの突起と同等の位置に配置されて、ファンダンゴによるカンテの一般的な数種類のパルマ伴奏のパーカッションを生成する動きグループを一緒に伝達することを特徴とする請求項５に記載の分配機構。
【請求項１１】
15個の同じ高さの突起を含む２つのカムLA6及び LB6から構成され、LA6及び LB6はそれぞれ2, 3, 4, 6, 7, 8, 10, 11 及び12と、2+15°, 3+15°, 6+15°, 7, 10+15° 及び11との同じ高さの12個の等距離突起から成るカムの突起と同等の位置に配置されて、タンゴによるカンテの一般的な数種類のパルマ伴奏のパーカッションを生成する動きグループを一緒に伝達することを特徴とする請求項５に記載の分配機構。
【請求項１２】
18個の同じ高さの突起を含む２つのカムLA7及び LB7から構成され、LA7及び LB7はそれぞれ1+15°, 4+15°, 6, 7, 8, 9, 10, 11 及び12と、2, 3, 5, 6, 8, 9+15°, 10 及び12との同じ高さの12個の等距離突起から成るカムの突起と同等の位置に配置されて、ソレアによるカンテの一般的な数種類のパルマ伴奏のパーカッションを生成する動きグループを一緒に伝達することを特徴とする請求項５に記載の分配機構。
【請求項１３】
17個の同じ高さの突起を含む２つのカムLA8及び LB8から構成され、LA8及び LB8はそれぞれ1+15°, 3, 4+15°, 6, 7+15°, 8, 9+15°, 10, 11+15°及び12と、2, 3, 5, 6, 8, 10及び12との同じ高さの12個の等距離突起から成るカムの突起と同等の位置に配置されて、アレグリアによるカンテの一般的な数種類のパルマ伴奏のパーカッションを生成する動きグループを一緒に伝達することを特徴とする請求項５に記載の分配機構。
【請求項１４】
21個の同じ高さの突起を含む２つのカムLA9及び LB9から構成され、LA9及び LB9はそれぞれ1, 2, 3, 4, 5, 6, 7, 8, 9, 10, 11及び12と、1+15°, 3, 4+15°, 6, 7+15°, 8, 9+15°, 10及び12との同じ高さの12個の等距離突起から成るカムの突起と同等の位置に配置されて、ブレリアによるカンテの一般的な数種類のパルマ伴奏のパーカッションを生成する動きグループを一緒に伝達することを特徴とする請求項５に記載の分配機構。
【請求項１５】
18個の同じ高さの突起を含む２つのカムLA10及び LB10から構成され、LA10及び LB10はそれぞれ1, 2, 3+15°, 4, 5+15°, 6, 7+15°, 8, 9, 10及び12と、2, 4, 6, 8, 9, 11及び12との同じ高さの12個の等距離突起から成るカムの突起と同等の位置に配置されて、セギリジャによるカンテの一般的な数種類のパルマ伴奏のパーカッションを生成する動きグループを一緒に伝達することを特徴とする請求項５に記載の分配機構。
【請求項１６】
12ビート基本コンパスの12のリズムのパーカッションを生成する動きグループを伝達する同じ高さの12個の等距離突起の第1カムLTと、１２ビート基本コンパスの12裏拍のパーカッションを生成する動きグループを一緒に伝達し、第１カムに関して位相が°15°異なる、同じ高さの12個の等距離突起の第2カムとを特徴とする請求項５に記載の分配機構。
【請求項１７】
構成する電子機械的要素が分配機構の電子プログラマーによってコントロールされたソレノイドによって作動する円筒形のロッドであり、該ロッドの各端が音楽装置のハンマーのアクチュエーターであることを特徴とする請求項４に記載の分配機構。
【請求項１８】
分配器がソレノイドによって作動する2つの円筒形のロッドから構成され、かかる分配器の電子タイマーが動きのセットのペア  PA1 {1, 2, 3, 4, 5, 6, 7, 8, 9, 10, 11, 12} 及び PB1 {1, 4, 7, 10}と、 PA2 {1, 2, 3, 4, 5, 6, 7, 8, 9, 10, 11, 12} 及び PB2 {1, 3, 5, 7, 9, 11}と、 PA3 {1, 2, 3, 4, 5, 6, 7, 8, 9, 10, 11, 12} 及び PB3 {3, 6, 8, 10, 12}と、PA4 {1, 2, 3, 4, 5, 6, 7, 8, 9, 10, 11, 12} 及び PB4 {2, 4, 6, 9, 12}と、PA5 {1, 2, 4, 5, 7, 8, 10, 11} 及び PB5 {1, 3, 4, 7, 9 , 10}と、PA6 {2, 3, 4, 6, 7, 8, 10, 11, 12} 及び PB6 {2+180°, 3+180°, 6+180°, 7, 10+180°, 11}と、 PA7 {1+180°, 4+180°, 6, 7, 8, 9, 10, 11, 12} 及び PB7 {2, 3, 5, 6, 8, 9+180°, 10, 12}と、PA8 {1+180°, 3 4+180°, 6, 7+180°, 8, 9+180°, 10, 11+180°, 12} 及び PB8 {2, 3, 5, 6, 8, 10, 12}と、PA9 {1, 2, 3, 4, 5, 6, 7, 8, 9, 10, 11, 12} 及び PB9 {1+180°, 3, 4+180°, 6, 7 +180°, 8, 9+180°, 10, 12}と、PA10 {1, 2, 3+180°, 4, 5+180°, 6, 7+180°, 8, 9, 10, 12} 及び PB10 {2, 4, 6, 8, 9, 11, 12}とによって形成されたクループが持続時間Tの間交互動きする中で、少なくとも1セットの2本のロッドへの伝達をコード化し、さらに、それぞれ４つのファンダンゴまたはセビリアナのコンパス、3つのタンゴのコンパス、１つのソレア、アレグリアまたはブレリアのコンパス、及び１つのセギリージャスのコンパスで、ファンダンゴによるカンテの一般的な数種類のパルマ伴奏による、タンゴによるカンテの一般的な数種類のパルマ伴奏と、ソレアによるカンテの一般的な数種類のパルマ伴奏と、アレグリアによるカンテの一般的な数種類のパルマ伴奏と、ブレリアによるカンテの一般的な数種類のパルマ伴奏と、セギリージャスによるエスコビージャの一般的な数種類の伴奏とのいずれかによる１つのセギリージャスのコンパスのパーカッションを生成する音楽装置のハンマーへの動きを伝達することを特徴とする請求項１７に記載の分配機構。
【請求項１９】
分配器がソレノイドによって作動する2つの円筒形のロッドから構成され、かかる分配器の電子タイマーが、持続時間T  PT {1, 2, 3, 4, 5, 6, 7, 8, 9, 10, 11, 12} 及びPCT {1+180°, 2+180°, 3+180°, 4+180°, 5+180°, 6+180°, 7+180°, 8+180°, 9+180°, 10+180°, 11+180°, 12+180°}の間の交互の動きの１セットの2本のロッドへの伝達をコード化し、さらに、12ビートの基本コンパスのリズム及びその裏拍のパーカッションを生成する音楽装置のハンマーへの動きを伝達することを特徴とする請求項１７に記載の分配機構。
【請求項２０】
少なくとも1つのパーカッション装置と、少なくとも1つのハンマーと、請求項２に記載の動き分配機構を備える音楽装置の動作を自動化したマシーンと、かかる機構によって分配される動きの少なくとも1つのレセプターと、かかるレセプターとハンマーの間の接続手段とにより構成される自動パーカッション音楽装置。
【請求項２１】
請求項２０に記載の音楽装置であって、タイマープログラムを選択する手段と、選択したタイマープログラムを表示する手段と、コード化された動き分配器から音楽装置の複数のハンマーへ動きの伝達をコントロールする手段とが追加されていることを特徴とする請求項２０に記載の音楽装置。
【請求項２２】
請求項３に記載の分配機構を備えることを特徴とする請求項２０に記載の音楽装置。
【請求項２３】
機械プログラマーのプログラム選択手段が機械的であることを特徴とする請求項２１および22に記載の音楽装置。
【請求項２４】
請求項４に記載の分配機構を備えることを特徴とする請求項２０に記載の音楽装置。
【請求項２５】
電子プログラマーのプログラム選択手段が電子的であることと、選択されたタイマープログラムの表示手段がLED、プラズマ又は液晶ディスプレイであることとを特徴とする請求項２１および24に記載の音楽装置。
【請求項２６】
請求項５に記載の分配機構を備えることを特徴とする請求項２２に記載の音楽装置。
【請求項２７】
機械プログラマーのプログラム選択手段が機械的であることを特徴とする請求項２１および26に記載の音楽装置。
【請求項２８】
請求項６に記載の分配機構と2つのハンマーを備えることを特徴とする請求項２６に記載の音楽装置。
【請求項２９】
請求項７に記載の分配機構と7つのハンマーを備えることを特徴とする請求項２６に記載の音楽装置。
【請求項３０】
請求項８に記載の分配機構と2つのハンマーを備えることを特徴とする請求項２６に記載の音楽装置。
【請求項３１】
請求項９に記載の分配機構と2つのハンマーを備えることを特徴とする請求項２６に記載の音楽装置。
【請求項３２】
請求項１０に記載の分配機構と2つのハンマーを備えることを特徴とする請求項２６に記載の音楽装置。
【請求項３３】
請求項１１に記載の分配機構と2つのハンマーを備えることを特徴とする請求項２６に記載の音楽装置。
【請求項３４】
請求項１２に記載の分配機構と2つのハンマーを備えることを特徴とする請求項２６に記載の音楽装置。
【請求項３５】
請求項１３に記載の分配機構と2つのハンマーを備えることを特徴とする請求項２６に記載の音楽装置。
【請求項３６】
請求項１４に記載の分配機構と2つのハンマーを備えることを特徴とする請求項２６に記載の音楽装置。
【請求項３７】
請求項１５に記載の分配機構及び2つのハンマーを備えることを特徴とする請求項２６に記載の音楽装置。
【請求項３８】
請求項６,７,８及び９に記載の分配機構と2つのハンマーを備えることを特徴とする請求項２７に記載の音楽装置。
【請求項３９】
請求項１０,１１,１２,１３,１４及び１５に記載の分配機構と2つのハンマーを備えることを特徴とする請求項２７に記載の音楽装置。
【請求項４０】
請求項６,７,８及び９と、１０,１１,１２,１３,１４及び１５とに記載の分配機構と2つのハンマーを備えることを特徴とする請求項２７に記載の音楽装置。
【請求項４１】
請求項６,７,８,９,１０,１１,１２,１３,１４または１５のいずれかと請求項１６とに記載の分配機構と、4つのハンマーを備えることとを特徴とする請求項２７に記載の音楽装置。
【請求項４２】
請求項６,７,８及び９と請求項１６、または請求項１０,１１,１２,１３,１４及び１５と請求項１６、または請求項６,７,８,９,１０,１１,１２,１３,１４及び１５と請求項１６のいずれかに記載の分配機構と4つのハンマーを備えることを特徴とする請求項２７に記載の音楽装置。
【請求項４３】
２つのハンマーがフラメンコダンサーの靴のような形状になっていることを特徴とする請求項２８,２９,３０,３１,３２,３３,３４,３５,３６,３７,３８,３９又は４０のいずれかに記載の、または4つのうち２つのハンマーがフラメンコダンサーの靴のような形状になっていることを特徴とする請求項４１又は４２のいずれかに記載の音楽装置。
【請求項４４】
請求項１７に記載の動き分配機構を備えることを特徴とする請求項２４に記載の音楽装置。
【請求項４５】
電子プログラマーのプログラム選択手段が電子的であることと、選択されたタイマープログラムの表示手段がLEDディスプレイ、プラズマ、または液晶であることとを特徴とする請求項２１および４４に記載の音楽装置。
【請求項４６】
請求項１８に記載の分配機構と2つのハンマーを備えることを特徴とする請求項４４に記載の音楽装置。
【請求項４７】
請求項１８及び１９に記載の分配機構と4つのハンマーを備えることを特徴とする請求項４４に記載の音楽装置。
【請求項４８】
２つのハンマーがフラメンコダンサーの靴のような形状になっていることを特徴とする請求項４６に記載の、または4つのうち２つのハンマーがフラメンコダンサーの靴のような形状になっていることを特徴とする請求項４７に記載の音楽装置。
【発明の詳細な説明】
【発明の詳細な説明】
【０００１】
［技術分野］
本技術発明は、製造業、主に楽器の製造 (C3220) と、それらを自動化するための機構 (C2899) 、さらにゲームや玩具の製造(C3240) 及びオブジェクトやメディア広告のサポート及びお土産のサポートの製造（C3299、一般的な他の製造業）に関するものである。
【０００２】
本発明は、例示的かつ非制限的な方法で、例えば、初等教育 (P8520)、一般中等教育 (P8531) 及び技術・職業教育 (P8532)、文化教育 (P8552) 及び教育補助的な活動 (P8560)などの教育セクターと、例えば、芸術的創造(R9003) 及び 非特定的に、他のレクリエーションおよび娯楽活動 (R9329) などの芸術、レクリエーションおよび娯楽活動のサブセクターと、広告のサブセクター (M73) とゲームや玩具 (G4765)に関する新商品専門店で新商品の小売業(G4778)、取り分け非特定専門店(G4719) における小売業とに適用される。
【０００３】
括弧内のすべてのコードは、スペインの経済活動国家区分(CNAE) に基づいている。
［先行技術］
エジソン蓄音機及びベルリン蓄音機の前に自動音楽装置の多くの例があり、伝達する動きをコード化して分配する機構は様々である。例えば、金属櫛の上にスパイク付きシリンダーを分配機構として使用するウィーンのオルゴール、ハンドクランクオルゴール及びリュージュオルゴール、機構のスパイク付きシリンダーをスパイク付きディスクに置き換えたシンフォニオン、ポリフォン及びエーデルワイスオルゴール、スパイク付きシリンダーと空気圧システムとを組み合わせた分配機構を持つジェムローラーオルガン、バーバリーオルゴール及びセリネット 、空気圧システムとロール紙を使って動きをコード化及び分配するハンドクランクオルゴール、セレスティーナ及び自動ピアノ、または穴あきディスクと空気圧システムを使用するアリストン。それらはすべて、コード化されたメロディを、その機構の提供者上で自動的に再現する。
【０００４】
本発明の対象となる音楽装置すなわち楽器は、フラメンコのパーカッション音楽装置を自動的に再現する。よりよい高品質を求めるオフィスの規準を除いて、従来技術では前例がない。
［発明の概要］
本明細書に記載の本発明は、様々な種類のフラメンコにて使用される最も一般的なパーカッションの自動再現、例えば、エスコビージャ, カンテ及びエスコビージャに付随する数種類の一般的パルマ伴奏，数種類の形式のコンパス、さらに12ビート基本コンパスのリズムとその裏拍の自動再現を可能にする。
【０００５】
本発明をわかりやすく説明するために、非限定的な例として、以下のフラメンコパーカッションによって形成されるパーカッショングループを取り上げる:
４つのファンダンゴまたはセビリアナのコンパス、
3つのタンゴのコンパス、
１つのソレア、
アレグリアまたはブレリアのコンパス、
１つのセギリージャスのコンパス、
ファンダンゴ、タンゴ、ソレア、アレグリアまたはブレリアによるカンテの数種類の一般的パルマ伴奏、
セギリージャスによるエスコビージャに付随する数種類のパルマ、
さらに、12ビートの基本コンパスのリズム、及びその裏拍。
【０００６】
本発明の対象である自動パーカッション音楽装置は、少なくとも1つのパーカッション音楽装置と、少なくとも1つのハンマー（打槌）と、駆動するための何らかのモーターを備えた音楽装置動作自動化機構と、動きの分配機構と、該機構のアクチュエーターによって分配される動きの少なくとも1つのレセプターと、そして該レセプターとハンマーの間の接続手段とを含む。
【０００７】
また音楽装置の動きの分配機構は、少なくとも1つの分配プログラムにより伝達される動きをコード化するサイクルタイマーまたはプログラマー、及び少なくとも1つのアクチュエーターで構成される少なくとも一つの要素から成るコード化された動き分配器から構成される。
【０００８】
分配機構のプログラマーは、ディストリビューターにおいて、フラメンコのコンパスと、該コンパスの裏拍と、フラメンコのカンテ及びエスコビージャの様々なパルマ伴奏と、並びにフラメンコの様々なエスコビージャとによって形成されたグループの中で少なくとも1つの要素の連続パーカッション用の、不連続でサイクリックな動きのセットの伝達をコード化する。
【０００９】
本発明の対象となる音楽装置は、さらに、タイマープログラムを選択する手段と、選択したタイマープログラムを表示する手段と、コード化された動き分配器から音楽装置のハンマーまでの動きの伝達をコントロールする手段とを含む。
【００１０】
さらに、音楽装置が複数のハンマーで構成されている場合、そのうちの2つはフラメンコダンサーの靴の形状を有することができる。
【００１１】
本発明の主な用途は、フラメンコとその様々なスタイルと, 様々なコンパスのメトリックと, フラメンコのカンテ並びにエスコビージャの様々なパルマ伴奏のパーカッションと、フラメンコの様々なエスコビージャのパーカッションとを普及するための音楽装置の教育的利用である。本発明の他の用途は、例えば、玩具の音楽装置および広告での使用、または音楽装置広告のサポートである。
［本発明の詳細な説明］
本発明の第1の実施例では、音楽装置の動き分配機構のプログラマーは機械的であり、プログラマーを形成する機械要素上の分配器にアクチュエーターが順序よく配置されたもので構成されている。プログラマーが複数のプログラムをコード化する場合、プログラマーのプログラム選択手段も同様に機械的である。
【００１２】
本発明の本実施例において、音楽装置分配機構の分配器の機械的要素は、例えば同径のベースサークルと複数の突起を有するフラットカムであって良く、この場合には該突起が分配機構のアクチュエーターとなる。
【００１３】
本発明の第1の実施例における上記例の説明による本発明の実施例では、フラットカムの突起は同じ高さであり、対応する2つのカムがペア単位でグループ化され、音楽装置は少なくとも2つのメインハンマーを備えている。音楽装置の主ハンマーは対応する2つのカムの各カムによって駆動される。対応する２つのカムの突起は動きハンマーへの伝達を可能にする分配パターンに応じて2つのカムのセットに配置されていて、希望するフラメンコパーカッションのアクセントとサイレンスを含む連続的パーカッションを生成する。
【００１４】
参照グループのパーカッションに対応するカムの上の、同じ高さの突起の分配に関する非限定的な例は次の通りである:
1.-ファンダンゴ又はセビジャーナスの4つのコンパスの連続自動パーカッションをコード化する
LA1 (1, 2, 3, 4, 5, 6, 7, 8, 9, 10, 11, 12) 及び LB1 (1, 4, 7, 10)
及びそれらのアクセントも含む:
【００１５】
【表１】
2018518717.tif 000003
【００１６】
2.- タンゴの3つのコンパスの連続自動パーカッションをコード化する
LA2 (1, 2, 3, 4, 5, 6, 7, 8, 9, 10, 11, 12) 及び BL2 (1, 3, 5, 7, 9, 11),
及びそれらのアクセントも含む:
【００１７】
【表２】
2018518717.tif 000004
【００１８】
3.- ブレリア、アレグリア又はソレアの1つのコンパスの連続自動パーカッションをコード化する
LA3 (1, 2, 3, 4, 5, 6, 7, 8, 9, 10, 11, 12) 及び LB3 (3, 6, 8, 10 y 12),
及びそれらのアクセントも含む:
【００１９】
【表３】
2018518717.tif 000005
【００２０】
4.- セギリージャの1つのコンパスの連続自動パーカッションをコード化する
LA4 (1, 2, 3, 4, 5, 6, 7, 8, 9, 10, 11, 12) 及び LB4 (2, 4, 6, 9 y 12),
及びそれらのアクセントも含む:
【００２１】
【表４】
2018518717.tif 000006
【００２２】
5.-カンテの数種類の一般的パルマ伴奏の連続自動パーカッションをファンダンゴによりコード化する
LA5 (1, 2, 4, 5, 7, 8, 10, 11) 及び LB5 (1, 3, 4, 7, 9, 10),
【００２３】
【表５】
2018518717.tif 000007
【００２４】
6.-カンテのの数種類の一般的パルマ伴奏の連続自動パーカッションをタンゴによりコード化する
LA6 (2, 3, 4, 6, 7, 8, 10, 11, 12) 及び LB6 (2+15°, 3+15°, 6+15°, 7, 10+15°, 11),
【００２５】
【表６】
2018518717.tif 000008
【００２６】
7.-カンテの数種類の一般的パルマ伴奏の連続自動パーカッションをソレアによりコード化する
LA7 (1+15°, 4+15°, 6, 7, 8, 9, 10, 11, 12) 及び LB7 (2, 3, 5, 6, 8, 9+15°, 10, 12),
【００２７】
【表７】
2018518717.tif 000009
【００２８】
8.-カンテの数種類の一般的パルマ伴奏の連続自動パーカッションをアレグリアによりコード化する
LA8 (1+15°, 3 4+15°, 6, 7+15°, 8, 9+15°, 10, 11+15°, 12) 及び LB8 (2, 3, 5, 6, 8, 10, 12), 
【００２９】
【表８】
2018518717.tif 000010
【００３０】
9.-カンテの数種類の一般的パルマ伴奏の連続自動パーカッションをブレリアによりコード化する
LA9 (1, 2, 3, 4, 5, 6, 7, 8, 9, 10, 11, 12) 及び LB9 (1+15°, 3, 4+15°, 6, 7+15°, 8, 9+15°, 10, 12),
【００３１】
【表９】
2018518717.tif 000011
【００３２】
および、
10.-エスコビージャの数種類の一般的パルマ伴奏の連続自動パーカッションをセギリージャによりコード化する
LA10 (1, 2, 3+15°, 4, 5+15°, 6, 7+15°, 8, 9, 10, 12) 及びLB10 (2, 4, 6, 8, 9, 11, 12),
【００３３】
【表１０】
2018518717.tif 000012
【００３４】
グループのパーカッションの各々の音セットの表現は12ビートリズムのコンパスの数値表示に基づいた書込みシステムから構成され、ここでビートの時刻は音グループの一時的な配置に従って括弧つきの1から12までの数字で表され、アクセントは太字と下線で、サイレンスは空白、裏拍は対応する時刻の間のスペースに xとして書かれている。さらに、4ビートリズムのコンパスは3つずつに、および3ビートリズムのコンパスは4つずつにグループ化して表す。     
【００３５】
対応する２つのカムの各カムにおける 突起 の分配の表現は、各カムの 突起が括弧付の1から 12の番号によって表されている書込みシステムで構成されており、かかる1から 12の番号は同じ高さで等距離に12等分された参照カムの中の同等の配置による番号であって、参照とする突起から1から12までの連続番号がふられたものであるか、または参照グループのフラメンコパーカッションにおける裏拍のパーカッションを生成する動きを伝達する突起のグラフィック表現のために、かかる1から 12の番号が同じ高さで等距離に12等分されたカムの中の同等の配置による番号であって、かかるカムが前のカムに関して位相が°+15°異なるため、同等の参照カムの位置と、カムに対する位相差の明示的な表示とに対応して1 + 15 °から 12 + 15 °までの連続番号がふられたものである。
【００３６】
前記の対応するカムの構造は、その突起の分布に従って、次のように説明できる。
1.  対応するカム LA1 と LB1 は、12個の同じ高さの等距離突起から構成される第1カムと、かかるカムの突起と同じ高さの4つの等距離突起から構成される第2カムとを含み、しかも第2カムは第１カムと同位相である。
2.  対応するカム LA2 と LB2 は、12個の同じ高さの等距離突起 を含む第1カムと、かかるカムの 突起と同じ高さの6つの等距離突起から構成される第2カムとを含み、しかも第2カムは前のカムと同位相である。
3.  対応するカム LA3 と LB3 は、12個の同じ高さの等距離突起から構成される第1カムと、動き3、6、8、10及び12（参照突起としていずれの突起からも数えてよい）を伝達する第1カムの突起と同位置に配置された同じ高さの5つの突起から構成される第2カムとを含み、しかも第2カムは前のカムと同位相である。
4.  対応するカム LA4 と LB4 は、12個の同じ高さの等距離突起から構成される第1カムと、動き2、4、6、9及び12（参照突起としていずれの突起からも数えてよい）を伝達する第1カムの突起と同位置に配置された同じ高さの5つの突起から構成される第2カムを含み、しかも第2カムは前のカムと同位相である。
5.  対応するカム LA5 と LB5 は、14個の同じ高さの突起が、それぞれ12個の同じ高さの等距離突起1, 2, 4, 5, 7, 8, 10, 及び11と1, 3, 4, 7, 9及び10 の突起を含むカムの突起位置と同等の位置に配置されている構成である。
6.  対応するカム LA6 と LB6 は、15個の同じ高さの突起が、それぞれ12個の同じ高さの等距離突起2, 3, 4, 6, 7, 8, 10, 11及び 12と 2+15°, 3+15°, 6+15°, 7, 10+15°及び11の突起を含むカムの突起位置と同等の位置に配置されている構成である。
7.  対応するカム LA7 と LB7 は、18個の同じ高さの突起が、それぞれ12個の同じ高さの等距離突起1+15°, 4+15°, 6, 7, 8, 9, 10, 11及び 12 と 2, 3, 5, 6, 8, 9+15°, 10及び12の突起を含むカムの突起位置と同等の位置に配置されている構成である。
8.  対応するカム LA8 と LB8 は、17個の同じ高さの突起が、それぞれ12個の同じ高さの等距離突起1+15°, 3 4+15°, 6, 7+15°, 8, 9+15°, 10, 11+15°及び 12  と、2, 3, 5, 6, 8, 10及び 12の突起を含むカムの突起位置と同等の位置に配置されている構成である。
9.  対応するカム LA9 と LB9 は、21個の同じ高さの突起が、それぞれ12個の同じ高さの等距離突起1, 2, 3, 4, 5, 6, 7, 8, 9, 10, 11及び 12 と、1+15°, 3, 4+15°, 6, 7+15°, 8, 9+15°, 10及び 12の突起を含むカムの突起位置と同等の位置に配置されている構成である。
10.  対応するカム LA10 と LB10 は、18個の同じ高さの突起が、それぞれ12個の同じ高さの等距離突起1, 2, 3+15°, 4, 5+15°, 6, 7+15°, 8, 9, 10及び 12と、 2, 4, 6, 8, 9, 11及び 12の突起を含むカムの突起位置と同等の位置に配置されている構成である。
【００３７】
さらに我々は、前記のカムと同径のベースサークル・フラットカム及び同じ高さの複数突起のカム、リズムカムLT及び裏拍カムLCTの構造的および機能的な側面を説明する。
11. 12ビートのコンパスの12の基本リズムの連続的自動パーカッションをコード化する１２個の同じ高さの等距離突起から構成されるリズムカム LT, LT (1, 2, 3, 4, 5, 6, 7, 8, 9, 10, 11, 12):
【００３８】
【表１１】
2018518717.tif 000013
【００３９】
及び
12.  12個の同じ高さの等距離突起により構成され、前述のものと位相が15°異なり、12ビート基本コンパスの12裏拍の連続的自動パーカッションをコード化するリズムカムLCT 。
【００４０】
参照パーカッショングループのパーカッション自動再現に対応したカムの同じ高さの突起の分配に関して、前述の非限定的な例の説明に従った発明の実施例は、分配機構から構成され、かかる分配機構の分配器は、2つのハンマーと、前記説明に従ってコード化また構造化された対応するカムLA1 及び LB1と, LA2 及び LB2と, LA3 及び LB3と, LA4 及び LB4と, LA5 及び LB5と, LA6 及び LB6と, LA7 及び LB7と, LA8 及び LB8と, LA9 及び LB9と, LA10 及び LB10とから成るグループの対応する２つのカムとにより構成される。いくつかのまたは他の対応するカムの分配機構を分配器に含めることによって、音楽装置は自動的にアクセントを含む４つのファンダンゴもしくはセビリアナのコンパス、3つのタンゴのコンパス、１つのソレア、アレグリアもしくはブレリアのコンパス、又は１つのセギリージャスのコンパス、またはファンダンゴ、タンゴ、ソレア、アレグリアもしくはブレリアによるカンテの数種類の一般的パルマ伴奏、またはセギリージャスによるエスコビージャに付随するパルマスの一般的伴奏の連続パーカッションを生成する。
【００４１】
参照パーカッショングループのパーカッション自動再現に対応したカムの、同じ高さの突起分配に関する前述の非限定的な例の説明に従った発明の第2の実施例は、分配機構から構成され、かかる分配機構の分配器は2つのハンマーと、前記説明に従ってコード化及び構造化された対応するカムLA1 及び LB1と、 LA2 及び LB2と、 LA3 及び LB3と、LA4 及び LB4とから成り,  さらに、対応する駆動カムの機械的選択手段を含む。一旦対応するアクチュエーターカムが選択されると、音楽装置は自動的にアクセントを含む４つのファンダンゴもしくはセビリアナのコンパス、3つのタンゴのコンパス、１つのソレア、アレグリアもしくはブレリアのコンパス、または１つのセギリージャスのコンパスの連続パーカッションを再現する。
【００４２】
さらに、上記の両方の実施例では、音楽装置の２つのハンマーはフラメンコダンサーの靴の形状を有することができる。
【００４３】
参照パーカッショングループのパーカッション自動再現に対応したカムの、同じ高さの突起分配に関する前述の非限定的な例の説明に従った発明の第3実施例は、分配機構から構成され、かかる分配機構の分配器は４つのハンマーと、前記説明に従ってコード化及び構造化された対応するカムLA5とLB5、LA6とLB6、LA7とLB7、LA8とLB8、LA9とLB9、及びLA10とLB10、さらに同様に前記説明に従ってコード化及び構造化されたリズムカムLTと裏拍カムLCT、さらに12ビート基本コンパスの裏拍のパーカッションコントロール手段から構成される。1つ以上の対応するカムの分配機構の分配器を含めることによって、音楽装置は自動的にファンダンゴ、タンゴ、ソレア、アレグリアまたはブレリアによるカンテの数種類の一般的パルマ伴奏の、またはセギリージャスによるエスコビージャの数種類の一般的パルマ伴奏の連続パーカッション、及び１２ビート基本コンパスの１２のビートと、必要に応じて対応する裏拍のパーカッションを再現する。
【００４４】
参照パーカッショングループのパーカッションの自動再現用に対応したカムの、同じ高さの突起分配に関する前述の非限定的な例の説明に従った発明の第4実施例は、分配機構から構成され、かかる分配機構の分配器は４つのハンマーと、前記説明に従ってコード化また構造化された対応するカムLA5とLB5、LA6とLB6、LA7とLB7、LA8とLB8、LA9とLB9及びLA10とLB10、さらに同様に前記説明に従ってコード化及び構造化されたにリズムカムLTと裏拍カムLCT、さらに、対応するアクチュエーターカムの機械的選択手段及び１２ビート基本コンパスの裏拍のパーカッションコントロール手段を含む。対応するアクチュエーターカムを選択することにより、音楽装置は自動的にファンダンゴ、タンゴ、ソレア、アレグリアまたはブレリアによるカンテの数種類の一般的パルマ伴奏の、またはセギリージャスによるエスコビージャの数種類の一般的パルマ伴奏の連続パーカッション、及び１２ビート基本コンパスの１２のビートと、必要に応じて対応する裏拍のパーカッションを再現する。
【００４５】
さらに、上記のいずれの実施例においても、音楽装置の４つのハンマーのうち２つはフラメンコダンサーの靴の形状を有することができる。
【００４６】
本発明の第2の実施例では、音楽装置の動き分配機構のプログラマーは電子的であり、及び動き分配器の要素は電子機械式である。この場合、プログラマーが複数のプログラムをコード化する時には、電子プログラマーのプログラム選択手段は電子的であり、選択されたタイマープログラムの表示手段は、LED、プラズマまたは液晶ディスプレイである。
【００４７】
本発明の本実施例では、分配器の電子機械的要素は、例えば機構の電子プログラマーによってコントロールされたソレノイドを通じて動作する円筒状のロッドであってよく、この場合にはかかるロッドの両端の内の一方の端が、音楽装置のハンマーのアクチュエーターを構成している。
【００４８】
本発明第1の実施例の前述の例に対する説明に従った本発明の実施例においては、分配器は、機構の電子プログラマーによってコントロールされたソレノイドを通じて作動する2つの円筒形ロッドから成っており、それぞれのロッドは、音楽装置の2つのハンマーのそれぞれを駆動する。
【００４９】
参照パーカッショングループのパーカッションの、対応する交互の動きセットペアによって形成されたクループの、持続時間Tの間対応して往復運動する少なくとも2セットの2本のロッドへの伝達のコード化に関して、以下に非限定的な例を示す。
【００５０】
1.  ファンダンゴ又はセビジャーナスの4つのコンパスの連続自動パーカッションをコード化する。
【００５１】
PA1 {1, 2, 3, 4, 5, 6, 7, 8, 9, 10, 11, 12} 及び PB1 {1, 4, 7, 10},
以下のアクセントを含む
【００５２】
【表１２】
2018518717.tif 000014
【００５３】
2. タンゴの3つのコンパスの連続自動パーカッションをコード化する。
【００５４】
PA2 {1, 2, 3, 4, 5, 6, 7, 8, 9, 10, 11, 12} 及び PB2 {1, 3, 5, 7, 9, 11},
以下のアクセントを含む
【００５５】
【表１３】
2018518717.tif 000015
【００５６】
3. ブレリア、アレグリア又はソレアの1つのコンパスの連続自動パーカッションをコード化する。
【００５７】
PA3 {1, 2, 3, 4, 5, 6, 7, 8, 9, 10, 11, 12} 及び PB3 {3, 6, 8, 10, 12},
以下のアクセントを含む
【００５８】
【表１４】
2018518717.tif 000016
【００５９】
4. セギリージャの1つのコンパスの連続自動パーカッションをコード化する。
【００６０】
PA4 {1, 2, 3, 4, 5, 6, 7, 8, 9, 10, 11, 12} 及び PB4 {2, 4, 6, 9, 12}:
以下のアクセントを含む
【００６１】
【表１５】
2018518717.tif 000017
【００６２】
5. ファンダンゴによってフラメンコカンテの数種類の一般的パルマ伴奏の連続自動パーカッションをコード化する
PA5 {1, 2, 4, 5, 7, 8, 10, 11} 及び PB5 {1, 3, 4, 7, 9, 10},
【００６３】
【表１６】
2018518717.tif 000018
【００６４】
6.- タンゴによってフラメンコカンテの数種類の一般的パルマ伴奏の連続自動パーカッションをコード化する
PA6 {2, 3, 4, 6, 7, 8, 10, 11, 12} 及び PB6 {2+180°, 3+180°, 6+180°, 7, 10+180°, 11},
【００６５】
【表１７】
2018518717.tif 000019
【００６６】
7.- ソレアによってフラメンコカンテの数種類の一般的パルマ伴奏の連続自動パーカッションをコード化する
PA7 {1+180°, 4+180°, 6, 7, 8, 9, 10, 11, 12} 及び PB7 {2, 3, 5, 6, 8, 9+180°, 10, 12},
【００６７】
【表１８】
2018518717.tif 000020
【００６８】
8.- アレグリアによってフラメンコカンテの数種類の一般的パルマ伴奏の連続自動パーカッションをコード化する
PA8 {1+180°, 3 4+180°, 6, 7+180°, 8, 9+180°, 10, 11+180°, 12} 及び PB8 {2, 3, 5, 6, 8, 10, 12},
【００６９】
【表１９】
2018518717.tif 000021
【００７０】
9.- ブレリアによってフラメンコカンテの数種類の一般的パルマ伴奏の連続自動パーカッションをコード化する
PA9 {1, 2, 3, 4, 5, 6, 7, 8, 9, 10, 11, 12} 及び PB9 {1+180°, 3, 4+180°, 6, 7+180°, 8, 9+180°, 10, 12}, 
【００７１】
【表２０】
2018518717.tif 000022
【００７２】
及び
10.-セギリージャによってエスコビージャの数種類の一般的パルマ伴奏の連続自動パーカッションをコード化する
PA10 {1, 2, 3+180°, 4, 5+180°, 6, 7+180°, 8, 9, 10, 12} 及び PB10 {2, 4, 6, 8, 9, 11, 12},
【００７３】
【表２１】
2018518717.tif 000023
【００７４】
我々はさらに、2つの動きの分配プログラムであるPTリズムのプログラムとPCT裏拍プログラムとの機能を次に説明する。
【００７５】
11.-12ビートリズムの12の基本コンパスの連続自動パーカッションをコード化する PT {1, 2, 3, 4, 5, 6, 7, 8, 9, 10, 11, 12},
【００７６】
【表２２】
2018518717.tif 000024
【００７７】
12.- 12ビートリズムのコンパスの12裏拍の連続自動パーカッションをコード化する PCT {1+180°, 2+180°, 3+180°, 4+180°, +180°, 6+180°, 7+180°, 8+180°, 9+180°, 10+180°, 11+180°, 12+180°}, 
電子プログラマーのプログラム表現は、再現するために音楽装置の各ハンマーの方に伝達するパーカッションの音グループに相当する位置に従って、ロッドに伝達する動きを1から 12の番号によって鍵括弧の間で表現する書込みシステムで構成されており、対応する裏拍のパーカッションを伝達する場合には+ 180°の記号を使用して参照音に対して遅れがあることを明示的に表示する。
【００７８】
参照パーカッショングループのパーカッションの自動再現用の第2の実施例に関する前述の非限定的な例の説明に従った発明の第1の実施例は、分配機構と２つのハンマーとから構成され、かかる分極機構の分配器はソレノイドによって動作する2本の円筒形ロッドから成り、かかる分極機構の電子タイマーは、前記の説明に従ってコード化また構造化されて、対応する交互の動きのセットのペア：PA1及びPB1と、PA2 及び PB2と、PA3 及び PB3と、PA4 及び PB4と、PA5 及び PB5と、PA6 及び PB6と、PA7 及び PB7と、PA8 及び PBと8、PA9 及び PB9と、PA10 及びPB10とによって形成されたクループの、持続時間Tの間対応して往復運動する少なくとも2セットの2本のロッドへの伝達のコード化を含む。プログラマーに含まれるプログラムによると、音楽装置は自動的に、アクセントを含んだものとして４つのファンダンゴまたはセビリアナのコンパスと3つのタンゴのコンパスと１つのソレア、アレグリアまたはブレリアのコンパスとまたは１つのセギリージャスのコンパスと、またはファンダンゴ、タンゴ、ソレア、アレグリアまたはブレリアによるカンテの数種類の一般的パルマ伴奏と、またはセギリージャスによるエスコビージャの一般的パルマ伴奏の連続パーカッションとのいずれかを再現する。さらに、音楽装置の２つのハンマーはフラメンコダンサーの靴の形状を有することができる。
【００７９】
参照パーカッショングループのパーカッションの自動再現用の第2の実施例に関する前述の非限定的な例の説明に従った発明の第2実施例は、ソレノイドによって作動する4本の円筒形ロッドと４つのハンマーとから構成され、かかるソレノイドの電子タイマーは、前記の説明に従ってコード化また構造化されて、持続時間Tの間対応して往復運動するセットのペア： PA5及びPB5と、PA6およびPB6と、PA7及びPB7と、PA8及びPB8と、PA9及びPB9と、PA10及びPB10とによって形成されたクループの、4本のうちの2本のロッドへの伝達のコード化を含み、さらに持続時間 それぞれT 、PT、及びPCTの間往復運動する2つのセットを含み、さらに分配プログラムの電子的選択手段と１２ビートの基本コンパスの裏拍のパーカッションコントロール手段とを含む。一旦プログラマーに含まれるプログラムが選択されると、音楽装置は自動的に、ファンダンゴ、タンゴ、ソレア、アレグリアまたはブレリアによるカンテの数種類の一般的パルマ伴奏、またはセギリージャスによるエスコビージャの数種類の一般的パルマ伴奏のいずれかと、及び１２ビートの基本コンパスの12のリズムのパーカッションと、更に必要に応じて対応する裏拍の連続パーカッションとを再現する。さらに、音楽装置の４つのハンマーのうち２つはフラメンコダンサーの靴の形状を有することができる。
［図面の簡単な説明］
本発明の実施例に従ったこれまでの説明を補完するため、さらに本発明の特徴の理解を深めるために、以下に示す、イラストを伴い非制限性を示す図面とその説明は、本発明の重要な部分である。
【００８０】
図1は、音楽装置の実施例の等角図である。図で表される要素は次のとおりである: 1. 主パーカッション装置; 2. リズムと裏拍の二次パーカッション装置; 3. 第1メインハンマー; 4. 第2メインハンマー; 5. リズムの第2ハンマー; 6. 裏拍の第2ハンマー; 7. 装置の分配機構; 9. 裏拍のパーカッションコントロール手段; 35. 分配機構のタイマープログラム選択手段; 36. 選択したプログラムの視覚化手段。
【００８１】
図2は、その動作を自動化するマシンに一体化された本発明の実施例による分配機構の全体等角図である。
【００８２】
図3は、本発明の実施例及びそれを形成する機械要素の分配機構の詳細等角図であり、次の通りである:10. カム LA3;11. カム LB3;12. カム LA5;13. カムLB5;14. カム LA6;15.カム LB6;  16. カム LA7;  17. カム LB7;18. カム LA8;19. カム LB8;20. カム LA9;21. カム LB9; 22. カム LA10;  23. カム LB10;   24. カム LT;  25. カム LCT;  26.第1メインハンマーの動きのレセプター；27.  第2メインハンマーの動きのレセプター。
【００８３】
本説明による図面セットは、以下の関係に従って、本発明の実施例の機械式プログラマーの対応カムと、リズムカムと裏拍カムとの対応するカムの突起とを含む：図4.1 及び 4.2, LA1 及び LB1; 図4.3 及び 4.4, LA2 及び LB2; 図4.5 及び 4.6, LA3 及び LB3; 図4.7 及び 4.8, LA4 及び LB4; 図4.9 及び 4.10, LA5 及び LB5; 図4.11 及び 4.12, LA6 及び LB6; 図4.13 及び 4.14, LA7 及び LB7; 図4.15 及び 4.16, LA8 及び LB8; 図4.17 及び 4.18, LA9 及び LB9; 図4.19 及び 4.20, LA10 及び LB10; 図4.21 及び 4.22, LT 及び LCT。 
【００８４】
最後に、図5は、他のいくつかの要素、歯車、機構およびシステムを強調している、発明の実施例によるマシンの等角図である。それらは次の通りである： 28.クランク; 29.軸受とラチェットによって形成された歯車;  30.複合ギア;  31.フライホイールシャフト; 32.フライホイール;  トランスミッションシャフト;  34.無限のネジ。
［本発明の実施例］
以下は本発明の実施例の詳細な説明であり、実施例が含む異なる要素を適切に識別するために採用した番号付けに従って、本明細書に含まれる図面を参照している。
【００８５】
図1は、本発明の実施例の概要を示している。この図から見ることができるように、音楽装置は、主パーカッションの装置（1）及びリズムと裏拍の二次パーカッション装置（2）と、第1メインハンマー（3）と、 第2メインハンマー（4）と、 リズムの第2ハンマー（5）と、 裏拍の第2ハンマー（6）と、 装置の分配機構（7）と、さらに、 裏拍のパーカッションコントロール手段（9）と、 分配機構のタイマープログラム選択の手段（35）と、 選択したプログラムの視覚化手段（36）とで構成されている。
【００８６】
図2は、本発明の実施例による分配機構の概要、及びその動作を自動化する機械への一体化を示している。
【００８７】
図3の詳細図から見ることができるように、本発明の実施例による分配機構（7）は、対応するカムLA3 (10) 及び LB3 (11)と, LA5 (12) 及び LB5 (13)と, LA6 (14) 及び LB6 (15)と, LA7 (16) 及び LB7 (17)と, LA8 (18) 及び LB8 (19)と, LA9 (20) 及び LB9 (21)と、LA10 (22) 及び LB10 (23)とで構成される。 対応する作動カムが選択されると、第1カムの突起は第1のメインハンマー（26）の動きレセプターに向けてコード化する動きを伝達し、また第2カムの突起は第2のメインハンマー（27）の動きレセプターに向けてコード化する動きを伝達する。 分配機構は、さらに、リズムカムLT（24）と裏拍カムLCT（25）とを含む。
【００８８】
本発明の実施例による分配機構の要素のプログラミングおよび構造は、それぞれの突起の図を含む本明細書の複数の図に明瞭に示されている。
【００８９】
1. 対応するカムLA3 及び LB3は、同じ高さの12個の等距離 突起から構成される第1カム（図4.5）と、5つの突起から構成される第2カム（図4.6）を含み、かかる5つの突起は、動き3, 6, 8, 10, 12（参照突起としていずれの突起からも数えてよい）を伝達する前述のカムの 突起 と同じ位置に配置され、前述のカムと同じ高さで同位相である。ソレア、アレグリアまたはブレリアのコンパスのアクセントを含む連続自動パーカッションをコード化する、
【００９０】
【表２３】
2018518717.tif 000025
【００９１】
2.-対応するカムLA5 (12) 及び LB5 (13) は、14個の同じ高さの突起で構成されており、かかる突起はそれぞれ1, 2, 4, 5, 7, 8, 10及び11（図4.9）及び1, 3, 4, 7, 9, 及び10(図4.10) との12個の同じ高さの等距離突起を有するカムの突起位置に相当する位置に配置され、ファンダンゴによるカンテの一般的な数種類のパルマ伴奏のパーカッションを生成する動きグループを一緒に伝達する：
【００９２】
【表２４】
2018518717.tif 000026
【００９３】
3.-対応するカムLA6 (14) 及び LB6 (15) は、15個の同じ高さの突起で構成されており、かかる突起は それぞれ2, 3, 4, 6, 7, 8, 10, 11及び12(図4.11)と 2+15°, 3+15°, 6+15°, 7, 10+15°及び 11(図4.12)との12個の同じ高さの等距離突起を有するカムの突起位置に相当する位置に配置され、タンゴによるカンテの一般的な数種類のパルマ伴奏のパーカッションを生成する動きグループを一緒に伝達する：
【００９４】
【表２５】
2018518717.tif 000027
【００９５】
4.- 対応するカムLA7 (16) 及び LB7 (17) は、18個の同じ高さの突起で構成されており、かかる突起はそれぞれ 1+15°, 4+15°, 6, 7, 8, 9, 10, 11及び12（図4.13）と、2, 3, 5, 6, 8, 9+15°, 10及び12(図4.14) との12個の同じ高さの等距離突起を有するカムの突起位置に配置され、ソレアによるカンテの一般的な数種類のパルマ伴奏のパーカッションを生成する動きグループを一緒に伝達する：
【００９６】
【表２６】
2018518717.tif 000028
【００９７】
5. 対応するカムLA8 (18) 及び LB8 (19) は、17個の同じ高さの突起で構成されており、かかる突起はそれぞれ 1+15°, 3, 4+15°, 6, 7+15°, 8, 9+15°, 10, 11+15°及び12(図4.15) と、2, 3, 5, 6, 8, 10及び12(図4.16)との12個の同じ高さの等距離突起を有するカムの突起位置に配置され、アレグリアによるカンテの一般的な数種類のパルマ伴奏のパーカッションを生成する動きグループを一緒に伝達する：
【００９８】
【表２７】
2018518717.tif 000029
【００９９】
6.-対応するカムLA9 (20) 及び LB9 (21) は、21個の同じ高さの突起で構成されており、かかる突起は 1, 2, 3, 4, 5, 6, 7, 8, 9, 10, 11及び12(図4.17)と1+15°, 3, 4+15°, 6, 7+15°, 8, 9+15°, 10, 12(図4.18)との12個の同じ高さの等距離突起を有するカムの突起位置に配置され、ブレリアによるカンテの一般的な数種類のパルマ伴奏のパーカッションを生成する動きグループを一緒に伝達する：
【０１００】
【表２８】
2018518717.tif 000030
【０１０１】
7. 対応するカムLA10 (22) 及び LB10 (23) は、18個の同じ高さの突起で構成されており、かかる突起は 1, 2, 3+15°, 4, 5+15°, 6, 7+15°, 8, 9, 10及び12(図4.19) と、2, 4, 6, 8, 9, 11及び12の位置(図4.20) の12個の同じ高さの等距離突起を有するカムの突起位置に配置され、セギリジャによるエスコビージャの一般的な数種類のパルマ伴奏のパーカッションを生成する動きグループを一緒に伝達する：
【０１０２】
【表２９】
2018518717.tif 000031
【０１０３】
8.-リズムカムLT(24)は、同じ高さの12個の等距離突起で構成されており(図 4.21)、12ビートの基本コンパスの12の基本リズムの連続パーカッションをコード化する。
【０１０４】
9.-裏拍カムLTC(25)は、同じ高さの12個の等距離突起で構成されて、上記カムに対して位相が°15°異なり(図 4.22)、12ビートの基本コンパスの12裏拍の連続パーカッションをコード化する。
【０１０５】
本発明の実施例の分配機構に含まれていないが、本明細書の図面セットには、参照グループのフラメンコパーカッションの残りの連続的パーカッションをコード化する対応カムLA1とLB1, LA2とLB2 及びLA4とLB4に関して、突起を持つそれぞれの図が含まれている。それらが含まれているプログラミングの説明とその構造は次の通りである。
【０１０６】
10.-  対応するカムLA1 及び LB1は、同じ高さの12個の等距離突起から構成される第1カム(図 4.1)と、第一カムの 突起 と同位相になる同じ高さの4つの等距離 突起から構成される第2カム（図 4.2）とを含み、4つのファンダンゴまたはセビジャーナスのコンパスのアクセントを含む連続自動パーカッションをコード化する:
【０１０７】
【表３０】
2018518717.tif 000032
【０１０８】
11.-対応するカムLA2 及び LB2は、同じ高さの12個の等距離突起から構成される第1カム(図 4.3)と、第一カムの 突起 と同位相になる同じ高さの6つの等距離 突起から構成される第2カム(図 4.4) とを含み、3つのタンゴのコンパスのアクセントを含む連続自動パーカッションをコード化する:
【０１０９】
【表３１】
2018518717.tif 000033
【０１１０】
12.-対応するカムLA4 及び LB4 は、同じ高さの12個の等距離突起から構成される第1カム (図 4.7) と、第一カムの 突起 と同位置に配置されて、動き2, 4, 6, 9 及び 12 （参照として使用するそれらのいずれかから数えられる）を伝達し、第一カムと同じ高さで同位相となる5つの等距離 突起から構成される第2カム(図 4.8)とを含み、1つのセギリージャのコンパスのアクセントを含連続自動パーカッションをコード化する:
【０１１１】
【表３２】
2018518717.tif 000034
【０１１２】
最後に図5は、追加された要素、歯車とシステムのいくつかが強調されて表示された、本発明の実施例による動作自動化マシンの第2概観図である。機構を駆動するクランク（28）は、ベアリングとラチェット（29）によって形成されたシステムに接続されている。動きは複合トランスミッションギヤ (30) に伝達される。かかるギヤはシャフト(31) を通してフライホイール (32)と接続され、トランスミッションシャフト(33)を通して拡散される動きを安定化させる。かかるトランスミッションシャフトには無限ネジ(34)がマウントされ、かかる無限ネジで結合されている歯車のクラウンを通して、同軸で連動する音楽装置の分配機構 (7) の軸を駆動する。
【０１１３】
記載された本発明実施例では、機構の動きを分配するプログラマーは機械的であり、形成する機械的要素上にある分配器のアクチュエーターの順序だった分配で構成されている。かかる機械要素は同径のベースサークル・フラットカムであり、機構のアクチュエーターはかかるカム上に配置される同じ高さの 突起である。カムは対応する2個のカムのペアにグループ化され、それぞれ音楽装置の第1および第2メインハンマーに動きを伝達する。音楽装置もまたフラメンコの靴の形をしている。
【０１１４】
音楽装置 (35) のプログラム選択手段を介して分配プログラムを選択した後、クランク (28) の動きは、機械の要素及び歯車並びに分配機構 (7) によって第1(3)と第2(4)のメインハンマーへ伝達及びコード化され、アクセントを含む1つのソレア、アレグリアもしくは ブレリアのコンパス、またはファンダンゴ、タンゴ、ソレア、アレグリアもしくはブレリアによるカンテの一般的な数種類のパルマ伴奏、またはセギリージャスによるエスコビージャの一般的な数種類のパルマ伴奏の主パーカッション音楽装置で連続パーカッションを一緒に生成し、さらに第2ハンマー（5）へも伝達及びコード化され、12ビート基本コンパスのリズムの連続パーカッション、及び必要に応じて、音楽装置の裏拍コントロールの手段(9)の作動により、対応する裏拍を生成するリズムの連続パーカッションを生成する。
【図面の簡単な説明】
【０１１５】
【図１】音楽装置の実施例の等角図である。図で表される要素は次のとおりである: 1. 主パーカッション装置; 2. リズムと裏拍の二次パーカッション装置; 3. 第1メインハンマー; 4. 第2メインハンマー; 5. リズムの第2ハンマー; 6. 裏拍の第2ハンマー; 7. 装置の分配機構; 9. 裏拍のパーカッションコントロール手段; 35. 分配機構のタイマープログラム選択手段; 36. 選択したプログラムの視覚化手段。
【図２】その動作を自動化するマシンに一体化された本発明の実施例による分配機構の全体等角図である。
【図３】本発明の実施例及びそれを形成する機械要素の分配機構の詳細等角図であり、次の通りである:10. カム LA3;11. カム LB3;12. カム LA5;13. カムLB5;14. カム LA6;15.カム LB6;  16. カム LA7;  17. カム LB7;18. カム LA8;19. カム LB8;20. カム LA9;21. カム LB9; 22. カム LA10;  23. カム LB10;   24. カム LT;  25. カム LCT;  26.第1メインハンマーの動きのレセプター；27.  第2メインハンマーの動きのレセプター。
【図４】本説明による図面セットは、以下の関係に従って、本発明の実施例の機械式プログラマーの対応カムと、リズムカムと裏拍カムとの対応するカムの突起とを含む：図4.1 及び 4.2, LA1 及び LB1; 図4.3 及び 4.4, LA2 及び LB2; 図4.5 及び 4.6, LA3 及び LB3; 図4.7 及び 4.8, LA4 及び LB4; 図4.9 及び 4.10, LA5 及び LB5; 図4.11 及び 4.12, LA6 及び LB6; 図4.13 及び 4.14, LA7 及び LB7; 図4.15 及び 4.16, LA8 及び LB8; 図4.17 及び 4.18, LA9 及び LB9; 図4.19 及び 4.20, LA10 及び LB10; 図4.21 及び 4.22, LT 及び LCT。
【図５】他のいくつかの要素、歯車、機構およびシステムを強調している、発明の実施例によるマシンの等角図である。それらは次の通りである： 28.クランク; 29.軸受とラチェットによって形成された歯車;  30.複合ギア;  31.フライホイールシャフト; 32.フライホイール;  トランスミッションシャフト;  34.無限のネジ。
【図１】
2018518717.tif 000035
【図２】
2018518717.tif 000036
【図３】
2018518717.tif 000037
【図４．１】
2018518717.tif 000038
【図４．２】
2018518717.tif 000039
【図４．３】
2018518717.tif 000040
【図４．４】
2018518717.tif 000041
【図４．５】
2018518717.tif 000042
【図４．６】
2018518717.tif 000043
【図４．７】
2018518717.tif 000044
【図４．８】
2018518717.tif 000045
【図４．９】
2018518717.tif 000046
【図４．１０】
2018518717.tif 000047
【図４．１１】
2018518717.tif 000048
【図４．１２】
2018518717.tif 000049
【図４．１３】
2018518717.tif 000050
【図４．１４】
2018518717.tif 000051
【図４．１５】
2018518717.tif 000052
【図４．１６】
2018518717.tif 000053
【図４．１７】
2018518717.tif 000054
【図４．１８】
2018518717.tif 000055
【図４．１９】
2018518717.tif 000056
【図４．２０】
2018518717.tif 000057
【図４．２１】
2018518717.tif 000058
【図４．２２】
2018518717.tif 000059
【図５】
2018518717.tif 000060
【国際調査報告】
2018518717.tif 000061
2018518717.tif 000062
2018518717.tif 000063
2018518717.tif 000064